(57)【要約】【課題】主としてシルバーウェアと称されるナイフ、フォーク、スプーンといった食器を予め配列を整えてストックしておき、レストラン、結婚式場等のパーティー会場におけるテーブルセッティング作業の負担軽減を図ることを目的とする。【解決手段】ナイフ、フォーク等の食器を個別に並列して収容できる複数の区画に仕切られた枠体と、当該枠体の下側に前記食器が載置される底板を着脱自在に設置したことを特徴とするテーブルセッティング用具によって課題を解決した。【選択図】図１
2004008305.tif 000002
【特許請求の範囲】
【請求項１】
ナイフ、フォーク等の食器を並列収容できる枠体の下側に着脱自在の底板を備えた収容具に、予め前記食器をテーブル上における配列通りに収容しておき、当該収容具をテーブル上のセッティング位置へ載置し、前記枠体を押さえつつ前記底板を引き抜いてテーブル上に食器を配列することを特徴としたテーブルセッティング方法。
【請求項２】
ナイフ、フォーク等の食器を並列収容できると共に一端が開口可能で他端が閉鎖された袋状の収容具に、予め前記食器をテーブル上における配列通りに収容しておき、当該収容具をテーブル上のセッティング位置へ載置し、前記収容具の一端から露出した前記食器を押さえつつ前記収容具を引き抜いてテーブル上に食器を配列することを特徴としたテーブルセッティング方法。
【請求項３】
ナイフ、フォーク等の食器を並列収容できると共に一端が開口可能で他端が閉鎖された袋状の収容具に、予め前記食器をテーブル上における配列通りに収容しておき、当該収容具をテーブル上のセッティング位置へ載置し、次いで、前記食器と略直角をなし前記収容具の他端を跨ぐようにブリッジ状整列器をテーブル上に載置し、当該ブリッジ状整列器とテーブル上面とで形成される隙間から前記収容具を引き抜き、前記食器を前記収容具の引き抜き方向と相対押進させて食器をテーブル上に配列することを特徴としたテーブルセッティング方法。
【請求項４】
ナイフ、フォーク等の食器を個別に並列して収容できる複数の区画に仕切られた枠体と、当該枠体の下側に前記食器が載置される底板を着脱自在に設置したことを特徴とするテーブルセッティング用具。
【請求項５】
枠体は、複数の着脱自在の板体を取り付けてナイフ、フォーク等の食器が収容される区画を構成し、当該区画の前後方向、左右方向の間隔を可変としたことを特徴とする請求項４記載のテーブルセッティング用具。
【請求項６】
ナイフ、フォーク等の食器を個別に並列して収容できる複数の収容部に仕切られた袋体であって、当該袋体は先端側及び／又は後端側が開口され、又はミシン目加工が施されたことを特徴とするテーブルセッティング用具。
【発明の詳細な説明】
【０００１】
【発明の属する技術分野】
この発明は、レストラン、結婚式場等のパーティー会場で主としてシルバーウェアと称されるナイフ、フォーク、スプーンといった食器をテーブル上に整列配置することができ、さらに予め食器を整列した状態でストックしておき、会場で素早くテーブル上に食器をセットすることができるテーブルセッティング方法及びテーブルセッティング用具に関する。
【０００２】
【従来の技術】
レストランや結婚式場等のパーティー会場では、迅速に会場セッティングを行うことが求められている。
【０００３】
特に、同一の会場で立て続けに複数のパーティーが催されるような場合には、先に行われたパーティーの終了後、即座に次のパーティーの準備を始め、開始時間に間に合わせなければならない。
【０００４】
この際、メニューに合わせたテーブルセッティングを行うことが必要であり、メニューに応じて複数のナイフ、フォーク、スプーン等をお客に提供する料理の順序に合わせて並べなければならない。しかも、見栄えをよくするためにも、食器の並びが曲がらないように配置することが必要である。
【０００５】
従来、このようなテーブルセッティングは、複数人が一組となって行っていた。例えば、食器の種類ごとに担当者を決め、座席を回って、順次、テーブル上の所定位置に担当した食器を載置し、全ての食器を載置し終わった後、配置調整担当の者が、異なった配列、曲がった配列などを修正、調整して完了していた。
【０００６】
【発明が解決しようとする課題】
しかし、従来のテーブルセッティング方法では、食器の数に応じた人数のスタッフが必要であった。食器の種類が増せば、それだけ人数が必要となる。
【０００７】
一人の者が何種類かの食器を並べていくこともできるが、効率的でなく、また、食器の配列の順番はメニューによって異なるので、配列の順序を間違えるおそれもあった。
【０００８】
さらに、例えばアルバイト等のあまり慣れていない者がセッティングを行う場合も、配列の順序を間違えたり、セッティング作業に時間がかかったりすることがあり問題であった。
【０００９】
【課題を解決するための手段】
然るにこの発明は、予め食器を収容具に並列収容した状態としてストックしておき、会場へは収容具に収容された食器を運び込み、会場では収容具を取り去るだけで素早くテーブル上に食器をセットすることができるテーブルセッティング方法及びテーブルセッティング用具によって前記問題点を解決したのである。
【００１０】
即ちこの発明の方法に係る発明は、ナイフ、フォーク等の食器を並列収容できる枠体の下側に着脱自在の底板を備えた収容具に、予め前記食器をテーブル上における配列通りに収容しておき、当該収容具をテーブル上のセッティング位置へ載置し、前記枠体を押さえつつ前記底板を引き抜いてテーブル上に食器を配列することを特徴としたテーブルセッティング方法であり、ナイフ、フォーク等の食器を並列収容できると共に一端が開口可能で他端が閉鎖された袋状の収容具に、予め前記食器をテーブル上における配列通りに収容しておき、当該収容具をテーブル上のセッティング位置へ載置し、前記収容具の一端から露出した前記食器を押さえつつ前記収容具を引き抜いてテーブル上に食器を配列することを特徴としたテーブルセッティング方法である。
【００１１】
また、ナイフ、フォーク等の食器を並列収容できると共に一端が開口可能で他端が閉鎖された袋状の収容具に、予め前記食器をテーブル上における配列通りに収容しておき、当該収容具をテーブル上のセッティング位置へ載置し、次いで、前記食器と略直角をなし前記収容具の他端を跨ぐようにブリッジ状整列器をテーブル上に載置し、当該ブリッジ状整列器とテーブル上面とで形成される隙間から前記収容具を引き抜き、前記食器を前記収容具の引き抜き方向と相対押進させて食器をテーブル上に配列することを特徴としたテーブルセッティング方法である。
【００１２】
この発明の用具に係る発明は、ナイフ、フォーク等の食器を個別に並列して収容できる複数の区画に仕切られた枠体と、当該枠体の下側に前記食器が載置される底板を着脱自在に設置したことを特徴とするテーブルセッティング用具である。ここで、前記枠体は、複数の着脱自在の板体を取り付けてナイフ、フォーク等の食器が収容される区画を構成し、当該区画の前後方向、左右方向の間隔を可変とすることができる。
【００１３】
また、他の発明は、ナイフ、フォーク等の食器を個別に並列して収容できる複数の収容部に仕切られた袋体であって、当該袋体は先端側及び／又は後端側が開口され、又はミシン目加工が施されたことを特徴とするテーブルセッティング用具である。
【００１４】
【発明の実施の形態】
この発明のテーブルセッティング方法の発明では、予め枠体と底板とで構成される収容具や、袋状の収容具にナイフ、フォーク等の食器を並列収容しておくが、収容具の形状は、ナイフ、フォーク等の食器がテーブル上における配列通りに収容できることが必要である。
【００１５】
また、当該収容具をテーブル上のセッティング位置へ載置し、収容具だけを取り去れば、テーブル上のセッティング位置に食器を載置することができるが、この際、食器の配列の順序が崩れたり、歪んだりすることがないように留意して前記収容具を取り去る。収容具の形状を決める際も、収容具を取り去る際に食器の配列の順序が崩れたり、歪んだりすることがないように考慮される。
【００１６】
収容具として、枠体の下側に着脱自在の底板を備えた収容具を使用するときは、前記枠体を押さえつつ前記底板を引き抜けば、当該底板に載置した複数の食器は底板の引き抜き方向に移動し、前記枠体の引き抜き側の端壁に当接して整列するので、底板を引き抜き終わった後、枠体を持ち上げれば、食器は配列を保ったまま、きれいに整列した状態でテーブル上に配列できる。
【００１７】
収容具として、一端が開口可能で他端が閉鎖された袋状の収容具を使用するときは、前記収容具の一端から露出した前記食器を押さえつつ前記収容具を引き抜けばテーブル上に食器を配列できる。このとき、収容具の一端から露出させるのは食器の後端側（柄側）、先端側（歯側）のいずれでも良いが、露出部分を押さえることを考慮すれば、衛生面から後端側（柄側）を露出することが好ましい。また、露出部分を押さえるときは、専用の道具を用いても良いが、手で押さえることもできる。
【００１８】
また、収容具として、一端が開口可能で他端が閉鎖された袋状の収容具を使用するときは、前記食器と略直角をなし前記収容具の他端を跨ぐようにブリッジ状整列器をテーブル上に載置し、当該ブリッジ状整列器とテーブル上面とで形成される隙間から前記収容具を引き抜くようにすれば、収容具に収容された複数の食器は収容具の引き抜き方向に移動し、前記ブリッジ状整列器に収容具を介して当接して整列するので、前記食器を前記収容具の引き抜き方向と相対押進させて食器をテーブル上に配列することができる。
【００１９】
なお、袋状の収容具は、両端開口のものであってもテーブル上に載置して、食器を残して引き抜き、食器をテーブル上に配列することができるが、収容具に予め食器を並列収容して会場内に運ぶことを考慮すれば、一端は閉鎖しているほうが、食器が収容具から落下するおそれが減少し、好ましい。
【００２０】
この発明の用具に係る発明を構成する枠体は、テーブルセッティングの食器の配列に応じて複数の区画に仕切られたものである。セットされる食器の数はメニューによって異なるので、考えられる食器の最大数の区画を設けておく必要がある。
【００２１】
また、テーブルセッティングは、着席者の正面は、順次運ばれてくる料理皿等が並べられるスペースとなっており、その右手側に複数のナイフ、スプーンが着席者に対して縦向きにまとめて配列され、左手側にフォークが着席者に対して縦向きにまとめて配列され、さらに料理皿等が並べられる前記スペースの奥側にデザート用のスプーン等が着席者に対して横向きにまとめて配置されることがある。このように食器が略コ字状に配置される場合には、枠体の形状も略コ字状に食器収容部を設け、各食器収容部を食器の数に応じて複数の区画に仕切っておくことができるが、もちろん着席者の右手側、左手側又は奥側の配置毎の別体の枠体として食器収容部を設け、各食器収容部を食器の数に応じて複数の区画に仕切っておくこともできる。
【００２２】
ここで、当該区画は、食器を整列して収納できる適度な幅を有するものでなければならないが、スプーン等先端側が拡がった形状で幅広の食器もあるため、枠体の幅を調節できるようにしておくと都合がよい。
【００２３】
前記枠体の下側に設置される底板は、食器が載置できるので、予め食器を載置して、会場に運び込むことが可能となる。
【００２４】
なお、底板の形状は、枠体の食器収容部の下面を覆うことができるものであればよいので、前記のように枠体の形状を略コ字状に食器収容部を設けた形状とした場合に、底板の形状を料理皿等が並べられる前記スペースに相当する部分も覆うように四角形とすることができ、食器収容部の配置に応じた略コ字状とすることもできる。但し、底板を引き抜くときは、なるべく手前側（座席に近い側）の左右方向の中心付近を摘んで引き抜くと左右のバランスを保ってスムーズに引き抜くことができるので、底板の手前側（座席に近い側）の中心付近に取っ手が取り付けられていると都合がよい。
【００２５】
この発明の用具に係る他の発明を構成する袋体は、ナイフ、フォーク等を複数収容した場合でも破損することがない材質、例えば布製等であっても良いが、衛生面を考慮して使い捨ての樹脂製とすることができる。樹脂製としたときは、ナイフ、フォーク等の食器を個別に並列して収容できる複数の収容部は、熱シール等によって仕切り、形成することができる。
【００２６】
当該袋体は、食器を出し入れするために、先端側又は後端側の少なくとも一方は開口できるものでなければならないが、袋体の当該開口の予定部にミシン目加工を施して閉じておき、テーブルセッティング時にミシン目に沿って袋体を開口してテーブル上に食器を配列するようにすれば衛生的である。
【００２７】
【実施例１】
この発明のテーブルセッティング用具１を図面に基づき説明する。図１、図２図示のテーブルセッティング用具１は、ナイフ、フォーク等の食器の一つのまとまり毎（図３中、符号４、５、６で示すまとまり毎）にテーブル上に配列するタイプのものである。なお、図３中、符号８４は皿である。
【００２８】
（１）　テーブルセッティング用具１は、枠体２と、枠体２の下側に着脱自在に設置される底板３とによって構成されている。
【００２９】
枠体２は長手方向（図２中、矢示１２で示す方向）の枠板７、８と、幅方向（図２中、矢示１３で示す方向）の枠板９、１０とで食器収容部１１が形成され、枠板９、１０に長手方向（図２中、矢示１２で示す方向）の仕切板１４、１５、１６、１７が着脱自在に取り付けられ、食器収容部１１が５つの区画１８ａ、１８ｂ、１８ｃ、１８ｄ、１８ｅに仕切られている。
【００３０】
また、枠板７、８、９、１０の上縁には食器収容部１１に合わせて開口された上面板１９が取り付けられ、上面板１９の枠板７、８に平行する両側にＬ字状の底板受け２０、２０が対向して取り付けられている。底板受け２０、２０の水平部２０ａ、２０ａは、枠板７、８、９、１０の下縁から、底板３の厚さより僅かに広い間隔を隔てた高さに位置している。
【００３１】
底板３は、長手方向（図２中、矢示１２で示す方向）は、枠体２よりも長い長さを有しており、幅方向（図２中、矢示１３で示す方向）は底板受け２０、２０の間隔に応じた幅であって、底板受け２０、２０上で摺動して枠体２の下側に着脱自在に取り付けられている。
【００３２】
（２）　以上のように構成されるテーブルセッティング用具１の使用方法について説明する。このテーブルセッティング用具１の使用方法はこの発明の方法の発明の実施例に相当する。
【００３３】
まず、枠体２の下側の底板受け２０に底板３を装着する。ついで、メニューによって決定される順序に従って、区画１８ａ、１８ｂ、１８ｃ、１８ｄ、１８ｅ毎に底板２０にナイフ２１を載置して図１（ａ）図示の状態とする。図１（ａ）では、ナイフ２１は５本載置されているが、本数はメニューによって異なるものであり、また、ナイフ以外のフォークやスプーンといった食器が載置される場合もある。
【００３４】
スプーン（不図示）を載置するときには、スプーンの先端側は拡がった形状であるので、区画１８ａ、１８ｂ、１８ｃ、１８ｄ、１８ｅの幅ではスプーンが区画内に収まらない場合がある。そのような場合は、仕切板１４、１５、１６、１７を必要に応じて取り外せば、スプーンのような幅広の食器を収容できるだけの幅を確保することができる。例えば、仕切板１４を取り外せば、区画１８ａと１８ｂを合わせた幅を確保できる。
【００３５】
予めテーブル上における配列通りにナイフ２１が収容されたテーブルセッティング用具１は、図１（ａ）の状態で積み重ねる等してストックしておき、その状態で台車等に載せて会場に運び込む。
【００３６】
会場に運び込まれたテーブルセッティング用具１は、テーブル２２のセッティング位置へ載置し（図１（ａ））、枠体２を押さえつつ、底板３を矢示２３の方向へ引き抜き、ついで、枠体２を矢示８５のように取り去れば（図１（ｂ））、テーブル２２上にナイフ２１を配列することができる（図１（ｃ））。
【００３７】
底板３の引き抜きを開始すると、５本のナイフ２１は底板３上に載置されているので、まず底板３と一体的に矢示２３の方向に移動し始め、ナイフ２１は柄側の端部が枠体２の枠板９に当接した以後は、枠板９によって移動が規制されるので、柄側の端部が一直線に整列する。ナイフ２１は、底板３を引き抜き、枠体２を取り去るときも整列した状態を保つので、テーブル２２上にきれいに整列した状態で配列することができる。
【００３８】
【実施例２】
次に、この発明の他の実施例について説明する。
【００３９】
図４図示のテーブルセッティング用具２４が、実施例１のテーブルセッティング用具１と相違する点は、テーブルセッティング用具１がナイフ、フォーク等の食器の一つのまとまり毎（図３中、符号４、５、６で示すまとまり毎）にテーブル２２上に配列するタイプであるのに対し、テーブルセッティング用具２４は、符号４、５、６のまとまりを一度にテーブル２２上に配列するタイプである点である。
【００４０】
（１）　テーブルセッティング用具２４は、枠体２５と、枠体２５の下側に着脱自在に設置される底板２６とによって構成されている。
【００４１】
枠体２５は縦方向（図４中、矢示２７で示す方向）の枠板３０、３１と、横方向（図４中、矢示２８で示す方向）の枠板３２、３３とで外枠３４が形成されている。
【００４２】
枠板３２、３３には図４中左端側に縦方向（図４中、矢示２７で示す方向）の仕切板３５、４０が固定され、さらに仕切板３５から４０に亘って、仕切板３５、４０と直角をなす向きに短仕切板４７、４８が取り付けられ、着席者の左手側の食器収容部４９が形成れている。
【００４３】
また、枠板３２、３３には図４中右端側にも縦方向（図４中、矢示２７で示す方向）の仕切板４１、４６が固定され、仕切板４１から４６に亘って、仕切板４１、４６と直角をなす向きに短仕切板５０、５１が取り付けられ、着席者の右手側の食器収容部５２が形成れている。
【００４４】
さらに、仕切板４０と４１の間に横方向（図４中、矢示２８で示す方向）の仕切板５３、５６が固定され、仕切板５３から５６に亘って、仕切板５３、５６と直角をなす向きに短仕切板５７、５８が取り付けられ、着席者の奥側の食器収容部５９が形成れている。
【００４５】
食器収容部４９は、仕切板３５と４０との間に仕切板３６〜３９が着脱自在に取り付けられて５つの区画６０ａ、６０ｂ、６０ｃ、６０ｄ、６０ｅに仕切られている。
【００４６】
食器収容部５２は、仕切板４１と４６との間に仕切板４２〜４５が着脱自在に取り付けられて５つの区画６１ａ、６１ｂ、６１ｃ、６１ｄ、６１ｅに仕切られている。
【００４７】
食器収容部５９は、仕切板５３と５６との間に仕切板５４、５５が着脱自在に取り付けられて３つの区画６２ａ、６２ｂ、６２ｃに仕切られている。
【００４８】
これらの各区画の大きさは、仕切板や短仕切板を着脱することで調節することができる。
【００４９】
枠板３０、３１の下側にはＬ字状の底板受け６２、６２が対向して取り付けられている。
【００５０】
底板２６は、枠体２５の全面を覆う大きさであり、手前側（座席に近い側）の中心付近に引き出し用の取っ手２６ａが取り付けられており、底板受け６２、６２上で摺動して枠体２５の下側に着脱自在に装着されている。
【００５１】
（２）　テーブルセッティング用具４は以上のように構成されるが、その使用方法は、実施例１のテーブルセッティング用具１の使用方法とほぼ同様であるので、説明を省略する。
【００５２】
【実施例３】
次に、この発明の更に他の実施例について図５、６に基づいて説明する。
【００５３】
この実施例のテーブルセッティング用具６５が実施例１、２で説明したテーブルセッティング用具１、２４と相違する点は、テーブルセッティング用具１、２４が枠体と底板とで構成されていたのに対し、この実施例のテーブルセッティング用具６５は樹脂製の袋体から構成されている点である。
【００５４】
（１）テーブルセッティング用具６５は、袋体６６を収容される食器の幅に応じた間隔で長手方向に熱シール加工７６、７７、７８、７９を施して５つの収容部６７、６８、６９、７０、７１に仕切られ、その一端側に収容されるナイフ２１と直角をなす向きのミシン目加工７２が施されて構成されている。
【００５５】
なお、この実施例のテーブルセッティング用具６５は、ナイフ、フォーク等の食器の一つのまとまり毎（図３中、符号４、５、６で示すまとまり毎）にテーブル上に配列するタイプのものである。
【００５６】
（２）　以上のように構成されるテーブルセッティング用具６５の使用方法について説明する。このテーブルセッティング用具６５の使用方法はこの発明の方法の発明の実施例に相当する。
【００５７】
まず、メニューによって決定される順序に従って、収容部６７、６８、６９、７０、７１にナイフ２１を収容して図１（ａ）図示の状態とする。図１（ａ）では、ナイフ２１は５本収容されているが、本数はメニューによって異なるものであり、また、ナイフ以外のフォークやスプーンといった食器が収容される場合もある。この収容の作業は、衛生管理された工場等で行って、パーティー会場に搬入することができる。
【００５８】
ついで、袋体６６の一端をミシン目加工７２に沿って矢示７３のように切り取ってナイフ２１の端部を露出させ、その後、テーブルセッティング用具６５をテーブル上のセッティング位置へ載置し、前記露出したナイフ２１の端部を手７４で押さえつつ、袋体６６を矢示７５の方向に引き抜けば、テーブル上に食器を配列することができる。
【００５９】
この実施例では、露出したナイフ２１の端部を手７４で押さえているが、専用の道具を用いて押さえることもできる。
【００６０】
（３）　次にこの実施例のテーブルセッティング用具６５の他の使用方法について図６に基づいて説明する。図６図示のテーブルセッティング用具６５と、図５図示のテーブルセッティング用具６５とは、収容部６７、６８、６９、７０、７１内に収容されたナイフ２１の向きが異なっているが同一のものである。
【００６１】
図６図示の使用方法では、図５図示の方法と同様に袋体６６の一端をミシン目加工７２に沿って矢示７３のように切り取ってナイフ２１の端部を露出させ、テーブルセッティング用具６５をテーブル上のセッティング位置へ載置した後、ブリッジ状整列器８０を使用して、ナイフ２１を扱くようにしてテーブル上に押し出し、配置する。
【００６２】
ブリッジ状整列器８０は、左右の脚部８０ａ、８０ｂの上部に水平部８０ｃを備え、水平部８０ｃには袋体６６の熱シール加工７６、７７、７８、７９の間隔に対応した間隔を隔てて整列ガイド８１ａ、８１ｂ、８１ｃ、８１ｄが取り付けられている。整列ガイド８１ａ、８１ｂ、８１ｃ、８１ｄの下面は袋体６６を引き抜く際に袋体６６がブリッジ状整列器８０に引っかからずスムーズに引き抜けるよう、図６（ｂ）図示のようにテーブル面との隙間Ｓ２が設けられており、さらに図６（ｃ）図示のように下側が湾曲成形してある。
【００６３】
なお、図６（ｃ）は、袋体６６を引き抜く状態を図６（ｂ）のＡ−Ａで断面として説明したものである。
【００６４】
このブリッジ状整列器８０は、会場のスタッフが一人一個ずつ携帯しており、図６（ａ）図示のようにテーブル２２（図６（ｃ））上のセッティング位置へ載置したテーブルセッティング用具６５の一端側（柄側）を跨いだ状態で載置する。このとき整列ガイド８１ａ、８１ｂ、８１ｃ、８１ｄが袋体６６の熱シール加工７６、７７、７８、７９上に位置し、脚部８０ａ、８０ｂの下面のみがテーブル２２の上面に当接するように留意する。
【００６５】
ついで、ブリッジ状整列器８０を矢示８２の向きに押さえつつ、袋体６６を水平部８０ｃとテーブル上面とで形成される隙間Ｓ１から矢示８３の向きに引っ張る。すると、図６（ｃ）図示のようにナイフ２１、の後端部２１ａ、２１ａが、ブリッジ状整列器８０の水平部８０ｃに袋体６６を介して当接するので、さらに袋体矢示８３の方向に引っ張れば、ナイフ２１、２１は相対的に矢示８３の引き抜き方向とは逆向き押し出され、テーブル上に配列できる。
【００６６】
以上、この発明の好ましい実施例を添付図面を参照して説明したが、本発明はかかる実施例に限定されるものではなく、特許請求の範囲の記載から把握される技術的範囲において種々な形態に変更可能である。
【００６７】
例えば、食器の配列はメニューによって異なるので、テーブルセッティング用具も、食器の配列のバリエーション毎に枠体や、袋体の色を変えて間違えないようにする等の工夫ができる。
【００６８】
【発明の効果】
この発明は、予めナイフ、フォーク等の食器をテーブル上における配列通りに収容しておけるので、会場内で複数の食器を順次配列することと比較して、スタッフの会場内での作業負担を軽減することができ、会場内でのテーブルセッティング作業を短時間で終了させることができる効果がある。
【００６９】
また、会場内でテ−ブルセッティングに携わるスタッフの人手を減らすことができる効果がある。
【００７０】
また、予めナイフ、フォーク等の食器をテーブル上における配列通りに収容作業は、時間に余裕があるときに行えるので、例えば不慣れなアルバイトやパートの人であっても行える。
【００７１】
また、食器収容具を袋体とすれば、軽量となるので会場への搬入が容易になる効果がある。また、使い捨てとすれば、洗浄の必要がなく衛生的である。
【００７２】
また、テーブルセッティング用具を構成する枠体や袋体は複数の区画に仕切られており、さらに、テーブル上へ食器を配列する際に枠体を構成する枠板や整列具に食器の端部が当接するので、食器を配列できると共に整列できる効果がある。
【図面の簡単な説明】
【図１】（ａ）この発明の実施例のテーブルセッティング用具にナイフを収容し、テーブル上に載置した状態の説明図。
（ｂ）同じく図１（ａ）の状態から底板を引き抜き枠体を取り去る行程の斜視説明図。
（ｃ）テーブル上にナイフを整列した状態の説明図。
【図２】図１図示のテーブルセッティング用具の一部を破断した斜視図。
【図３】テーブルセッティングの一例を示す説明図。
【図４】（ａ）この発明の他の実施例のテーブルセッティング用具の平面図。
（ｂ）同じく正面図。
【図５】（ａ）この発明の更に他の実施例の斜視図。
（ｂ）同じく使用状態の説明図。
【図６】（ａ）図５（ｂ）図示の使用方法とは異なる使用方法の説明図。
（ｂ）図６（ａ）の使用方法で用いるブリッジ状整列器の正面図。
（ｃ）袋体を引き抜く状態を図６（ｂ）のＡ−Ａで断面として説明した説明図。
【符号の説明】
１、２４、６５　テーブルセッティング用具
２、２５　枠体
３、２６　底板
１８ａ〜１８ｅ、６０ａ〜６０ｅ、６１ａ〜６１ｅ、６２ａ〜６２ｃ　区画
２１　ナイフ
２２　食器
３５〜４０、４１〜４６、５３〜５６　仕切板
４７、４８、５０、５１、５７、５８　短仕切板
６６　袋体
６７〜７１　収容部
７２　ミシン目加工
７４　手
７６〜７９　熱シール加工
８０　ブリッジ状整列器
【図１】
2004008305.tif 000003
【図２】
2004008305.tif 000004
【図３】
2004008305.tif 000005
【図４】
2004008305.tif 000006
【図５】
2004008305.tif 000007
【図６】
2004008305.tif 000008